(57)【要約】【課題】本発明は、ユーザーが説明内容を容易に理解することができる給湯機の取扱説明用の記録媒体を提供することを目的とする。【解決手段】本発明は、給湯機の取扱説明用の記録媒体において、前記記録媒体が再生手段において再生され、前記給湯機は、複数の装置を備えて構成され、特定の説明において説明対象となる部分が複数の装置に亘って存在する場合、説明対象部分を有する装置の全体を表示した後に、該装置における説明対象部分を表示することを特徴とする。【選択図】  図２
2012082979.tif 000002
【特許請求の範囲】
【請求項１】
給湯機の取扱説明用の記録媒体において、
前記記録媒体が再生手段において再生され、
前記給湯機は、複数の装置を備えて構成され、
特定の説明において説明対象となる部分が複数の装置に亘って存在する場合、説明対象部分を有する装置の全体を表示した後に、該装置における説明対象部分を表示することを特徴とする給湯機の取扱説明用の記録媒体。
【請求項２】
前記操作用のデータを記憶した給湯機の取扱説明用の記録媒体において、
動作音が記録されたことを特徴とする請求項１に記載の給湯機の取扱説明用の記録媒体。
【発明の詳細な説明】
【技術分野】
【０００１】
本発明は、給湯機（例えば、ヒートポンプ式給湯機，ヒータ式給湯機等の給湯用温水を貯める貯湯タンクを備える給湯機）における取扱説明用の記録媒体に関するものである。
【背景技術】
【０００２】
従来、再生手段において再生される洗濯機の取扱説明用の記録媒体が知られている（例えば、特許文献１）。一方、給湯機では、紙面の取扱説明書が一般的である。
【先行技術文献】
【特許文献】
【０００３】
【特許文献１】特開２００９−２７９０４７号公報
【発明の概要】
【発明が解決しようとする課題】
【０００４】
しかしながら、ユーザーが紙面の取扱説明書１で確認することでは、理解しづらいところがあった。
【０００５】
従って、給湯機でも、再生手段において再生される動画方式の取扱説明用の記録媒体があればユーザーにとって便利である。
【０００６】
ところで、上述した洗濯機の場合には、操作又は確認対象の装置は洗濯機のみであり、説明対象となる部分はこの洗濯機の何れかの部位であるため、洗濯機の取扱説明用の記録媒体では、説明対象となる部分を順次表示することで、ユーザーは説明内容を容易に理解することができる。
【０００７】
一方、給湯機は、貯湯ユニット，ヒートポンプユニット，リモコンなど、複数の装置を備えて構成されるものであり、使用の際にはこれら複数の装置に加えて給湯端末までもが操作又は確認対象の装置となるものであるため、説明対象となる部分は複数の装置に亘って存在するものである。
【０００８】
このため、給湯機において動画方式の取扱説明用の記録媒体を従来と同様に説明対象となる部分を順次表示するのでは、どの装置が説明対象となっているのかをユーザーが理解することができないおそれがある。
【０００９】
そこで、本発明は、ユーザーが説明内容を容易に理解することができる給湯機の取扱説明用の記録媒体を提供することを目的とする。
【課題を解決するための手段】
【００１０】
本発明は、給湯機の取扱説明用の記録媒体において、前記記録媒体が再生手段において再生され、前記給湯機は、複数の装置を備えて構成され、特定の説明において説明対象となる部分が複数の装置に亘って存在する場合、説明対象部分を有する装置の全体を表示した後に、該装置における説明対象部分を表示することを特徴とする。
【発明の効果】
【００１１】
本発明によれば、ユーザーが説明内容を容易に理解することができる。
【図面の簡単な説明】
【００１２】
【図１】本実施形態に係る給湯機を構成する複数の装置及び給湯端末を示す外観図である。
【図２】本実施形態に係る給湯機に付属する紙面の取扱説明書及びＤＶＤを示す図である。
【図３】本実施形態に係る給湯機における紙面の取扱説明書の一例であり、貯湯ユニットの掃除に関する紙面を示す図である。
【図４】リモコンの外観の画面を示す図である。
【図５】貯湯ユニットの外観の画面を示す図である。
【図６】電源スイッチのスイッチ部の拡大画面を示す図である。
【図７】タンク専用止水栓の外観の画面を示す図である。
【図８】逃し弁の外観の画面を示す図である。
【図９】タンク排水栓のハンドル部を拡大した画面を示す図である。
【発明を実施するための形態】
【００１３】
本発明の実施形態に係る給湯機は、図１に示すように、貯湯ユニット，ヒートポンプユニット，リモコンなど、複数の装置を備えて構成されるものであり、使用の際にはこれら複数の装置に加えて給湯端末までもが操作又は確認の対象の装置となるものである。このように、説明対象となる部分は複数の装置に亘って存在するものである。
【００１４】
また、この給湯機には、図２に示すように、紙面の取扱説明書１と動画の記録媒体である取扱説明用の記録媒体（ＤＶＤ２）とが製品に同梱されている。ユーザーはＤＶＤ２を視聴することで、取扱方法を理解することができる。また、ユーザーが紙面の取扱説明書１で確認できないところをＤＶＤ２で確認するといった使用方法も考えられる。
【００１５】
前記ＤＶＤ２は、再生手段において再生されるものである。そして、特定の説明において説明対象となる部分が複数の装置に亘って存在する場合、説明対象部分を有する装置の全体を表示した後に、該装置における説明対象部分を表示する。
【００１６】
図３は、貯湯ユニットの掃除に関する流れを説明する紙面の取扱説明書１の図である。この操作では、貯湯ユニットとリモコンが説明対象となる。以下では、この貯湯ユニットの掃除を例に、ＤＶＤ２に記録される取扱説明を説明する。
【００１７】
図４は、リモコンの外観の画面である。動画の取扱説明では、「図２の表示部には、「沸き増し」の表示があるので、掃除できないことを示している。仮に、図２の表示部に「沸き増し」の表示がない場合は、掃除が可能である。」旨を説明する。
【００１８】
図５は、貯湯ユニットの外観の画面である。このように貯湯ユニットの外観を表示することにより、ここから貯湯ユニットに関するところの説明になることをユーザーが容易に理解することができる。
【００１９】
図６は、電源スイッチのスイッチ部を拡大した画面である。動画の取扱説明では、「通常は、スイッチのところが「ＯＮ」であるが、掃除するときは、本図のように「ＯＦＦ」にする。」旨を説明する。
【００２０】
図７は、タンク専用止水栓の外観の画面である。動画の取扱説明では、「この画面は、タンク専用止水栓が「開」の状態である。掃除の時は、この栓のハンドルを９０度回転させ「閉」とする。」旨を説明する。
【００２１】
図８は、逃し弁の外観の画面である。動画の取扱説明では、「掃除のときは、レバーを上げ開く。」旨を説明する。
【００２２】
図９は、タンク排水栓のハンドル部を拡大した画面である。動画の取扱説明では、「掃除するときは、ハンドルを回転させ「排水」位置にする。その後、２分間排水し、その後は、今までの操作と逆の操作をして元通りにする。」旨を説明する。
【００２３】
また、本実施形態に係る取扱説明用の記録媒体は、操作用のデータを記憶した給湯機の取扱説明用の記録媒体であり、動作音が記録されている。動作音とは、具体的には、貯湯ユニットに設けられる各種バルブの動作音や、ヒートポンプユニットの圧縮機の動作音や送風ファンの動作音などである。これらの動作音の正常音と異常音とが記録されており、ユーザーは、これらを基に、装置が正常であるか、異常であるかを容易に判断することができる。
【００２４】
以上、本実施形態に係る取扱説明用の記録媒体によれば、動画にすることにより、対象となる装置の全体を映した後、その装置の説明対象部分を映すため、どの装置に対する操作か、ユーザーが容易に把握しやすくなる。
【符号の説明】
【００２５】
１  取扱説明書
２  ＤＶＤ
【図１】
2012082979.tif 000003
【図２】
2012082979.tif 000004
【図３】
2012082979.tif 000005
【図４】
2012082979.tif 000006
【図５】
2012082979.tif 000007
【図６】
2012082979.tif 000008
【図７】
2012082979.tif 000009
【図８】
2012082979.tif 000010
【図９】
2012082979.tif 000011